【事件の表示】
　特願２００７−１６０１４７号「冷蔵庫」拒絶査定不服審判事件〔平成２０年１２月２５日出願公開、特開２００８−３０９４５０号〕について、次のとおり審決する。
【結　論】
　本件審判の請求は、成り立たない。
【理　由】
第１　手続の経緯
　本願は、平成１９年６月１８日の出願であって、 平成２０年１２月１５日付けで拒絶査定がされ、この査定に対し、平成２１年２月５日に本件審判が請求されたものである。
　
第２　本願発明について
１．本願発明
　本件出願の請求項１〜４に係る発明は、平成２０年９月１７日付け手続補正書により補正された特許請求の範囲の請求項１〜４に記載された事項により特定されるものと認められるところ、そのうちの請求項１に係る発明（以下「本願発明」という。）は、次のとおりである。
　「【請求項１】
　前面に開口部を有する冷蔵庫本体と、
　この冷蔵庫本体に引出し式にて前記開口部を開閉するように設けられた扉と、
　この扉の裏側において前記冷蔵庫本体の内部の一つの貯蔵室に引出し式にて出し入れ可能に収納された貯蔵容器とを具備し、
　前記貯蔵容器が３段以上の複数段に存し、
　前記扉を引出したときに、前記複数段の貯蔵容器のうちの一部を除いた残りの複数段の貯蔵容器が扉と共に引出され、前記除かれた貯蔵容器は、前記引出された貯蔵容器とは別のレール部により支持されて前記貯蔵室に残る構造で、
　前記扉と共に引出された複数段の貯蔵容器のうち最上段の貯蔵容器を、前記貯蔵室に残る貯蔵容器をも含む前記複数段の貯蔵容器の中で、最も容積の小さいものとしたことを特徴とする冷蔵庫。」
　
２．引用刊行物とその記載事項
（１）原査定の拒絶の理由に引用された、本願の出願前に頒布された刊行物である特開２００７−７１４９０号公報（以下「刊行物１」という。）には、引出し式扉を有する冷蔵庫に関し、図面とともに、次の技術的事項が記載されている。
　（ア）「【００２０】
　以下、本発明の一実施例について、図面を参照しながら説明する。まず図１及び図２を用いて説明する。図１は本発明の一実施例を示す冷蔵庫の縦断面図であり、図２は図１におけるＡ−Ａ線の断面図である。
【００２１】
  冷蔵庫の箱体３０は、外殻を構成する外箱３１と、各貯蔵室の内面を構成する内箱３２と、外箱３１と内箱３２との間に充填された断熱材３３とを備えて構成されている。冷蔵庫箱体３０内には、上から順に、冷蔵室３４、製氷室３５、冷凍室３６、野菜室３８が区画形成されている。これらの貯蔵室のうち、冷蔵室３４は回転式の扉によって前面開口部が閉塞されており、製氷室３５、冷凍室３６及び野菜室３８は引出し式の扉によって前面開口部が閉塞されている。
【００２２】
  冷凍室３６内には３段重ねの食品収納ケース４１，４２、４３が設けてあり、そのうちの中段と下段の食品収納ケース４２、４３は、引出し式の冷凍室扉３７を引き出すと扉とともに引き出される。最下段の食品収納ケース４３は、後述するようにフレーム５０に支えられて、冷凍室３６側壁の前縁に設けられた固定ローラ７１上を摺動して、引出し式扉３７とともに引出しが可能である。また、中段の食品収納ケース４２は、下段の食品収納ケース４３に載置されており、下段の食品収納ケース４３とともに引き出される構成になっている。」
　（イ）「【００２５】
　食品収納ケース４３を支持するフレーム５０は、冷凍室側壁の側に可動ローラ４５を備えている。可動ローラ４５はフレーム５０の可動ローラ取付部５１に取付けられ、この可動ローラ取付部５１は奥行方向に延伸するフレーム５０の奥端側に設けられる。したがって、冷凍室扉３が引き出されると、可動ローラ４５は、冷凍室３６内を奥方から手前側（図２では紙面では紙面奥側から紙面手前側）へと、レール６３に沿って移動する。」
　（ウ）「【００３０】
　なお、中段の食品収納ケース４２は、下段の食品収納ケース４３と一緒に引き出された後、下段の食品収納ケース４３内の貯蔵食品が出し入れできるように、冷凍室３６の側壁に設けたレール６２内を、食品収納ケースのフランジ４２ａにより、前後に摺動可能なように構成してある。」
　（エ）「【００３１】
　また、本実施例では３段の食品収納ケースを備えており、このうち、最上段の食品収納ケース４１は、中段の食品収納ケース４２及び下段の食品収納ケース４３とは独立して引き出される。すなわち、冷凍室３６の側壁に設けたレール６１内を、食品収納ケースのフランジ４１ａにより、前後に摺動可能としている。この構成によって、最上段の食品収納ケース４１及びこれに収納される食品の荷重は、内箱３２の側壁によって受けられ、フレーム５０に負担がかからない構成となっている。」
　（オ）図１〜２には、食品収納ケース４２が、食品収納ケース４３よりも容積が小さい態様で記載されている。
　
　・記載事項（ア）の「冷蔵庫の箱体３０」は、「外殻を構成する外箱３１と、各貯蔵室の内面を構成する内箱３２と、外箱３１と内箱３２との間に充填された断熱材３３とを備えて構成されている。冷蔵庫箱体３０内には、上から順に、冷蔵室３４、製氷室３５、冷凍室３６、野菜室３８が区画形成されている。これらの貯蔵室のうち、冷蔵室３４は回転式の扉によって前面開口部が閉塞されており、製氷室３５、冷凍室３６及び野菜室３８は引出し式の扉によって前面開口部が閉塞されている」ものであるので、前面開口部を有する冷蔵庫の箱体３０といえる。
　・記載事項（ア）の「引出し式の冷凍室扉３７」は、「製氷室３５、冷凍室３６及び野菜室３８は引出し式の扉によって前面開口部が閉塞され」る機能を生じ、かつ、「引出しが可能」なものであるので、冷蔵庫の箱体３０に引出し式にて前面開口部を開閉するように設けられた冷凍室扉３７といえる。
　・記載事項（ア）の「食品収納ケース４１，４２、４３」は、「冷凍室３６内に」「３段重ね」で「設けて」あり、それぞれ記載事項（ア）及び（エ）の「引き出される」ものであって、その冷凍室３６が図１において、冷凍室扉３７の裏側に位置するものであるので、冷凍室扉３７の裏側において冷蔵庫の箱体３０の内部の冷凍室３６に引出し式にて出し入れ可能に収納された食品収納ケース４１，４２、４３といえる。
　・記載事項（ア）の「冷蔵庫」は、「食品収納ケース４２、４３は、引出し式の冷凍室扉３７を引き出すと扉とともに引き出され」るものであり、かつ、記載事項（エ）の「食品収納ケース４１は、中段の食品収納ケース４２及び下段の食品収納ケース４３とは独立して引き出される。すなわち、冷凍室３６の側壁に設けたレール６１内を、食品収納ケースのフランジ４１ａにより、前後に摺動可能としている」ものであるので、冷凍室扉３７を引き出したときに、食品収納ケース４２、４３が冷凍室扉３７と共に引き出され、食品収納ケース４１は、食品収納ケース４２、４３とは別のレール６１により支持されて冷凍室３６に残る構造といえる。
　
　すると、刊行物１には、次の発明（以下「引用発明」という。）が開示されているものということができる。
　「前面開口部を有する冷蔵庫の箱体３０と、
　冷蔵庫の箱体３０に引出し式にて前面開口部を開閉するように設けられた冷凍室扉３７と、
　冷凍室扉３７の裏側において冷蔵庫の箱体３０の内部の冷凍室３６に引出し式にて出し入れ可能に収納された食品収納ケース４１，４２、４３とを具備し、
　食品収納ケース４１，４２、４３が３段に存し、
　冷凍室扉３７を引き出したときに、食品収納ケース４２、４３が冷凍室扉３７と共に引き出され、食品収納ケース４１は、食品収納ケース４２、４３とは別のレール６１により支持されて冷凍室３６に残る構造で、
　食品収納ケース４２を、食品収納ケース４３よりも容積の小さいものとした冷蔵庫。」
　
（２）原査定の拒絶の理由に引用された、本願の出願前に頒布された刊行物である特開平３−１４８５８３号公報（以下「刊行物２」という。）には、野菜室に出入れ可能な野菜容器を供えその内部に補助容器が設けられた冷蔵庫に関し、図面とともに、次の技術的事項が記載されている。
　（カ）「最上部に冷凍室が設けられ、その下方に冷蔵室２及び引き出し式チルド室３が設けられ、その下方に野菜室４が設けられている。」（第２頁右上欄第１０〜１２行）
　（キ）「１４は透明なプラスチックで形成された補助容器で、これは左右の上端縁部を野菜容器１１の上縁部のフランジ部に載置係合して前後に摺動移動可能に支持したもので、野菜容器１１が野菜室４内に収納された状態では、該野菜容器１１の後部上部に位置されている。」（第２頁右下欄第１〜６行）
　（ク）第１図には、補助容器１４の上段にチルド室３内に設けられた上方が開放した容器が記載されており、その容器部は、補助容器１４の倍程度の奥行きで、ほぼ同程度の深さで記載されされている。
　
　・記載事項（キ）の補助容器１４は、チルド室３の容器部の下段で野菜容器１１の上段に配置された中段容器であり、記載事項（ク）のチルド室３の容器部の半分程度の奥行きで、ほぼ同程度の深さであるので、中段容器の収納容積が上段容器よりも小さいものということができる。
　
（３）原査定の拒絶の理由に引用された、本願の出願前に頒布された刊行物である実願平１−１４２２５５号（実開平３−８０２８５号）のマイクロフィルム（以下「刊行物３」という。）には、貯蔵室に出入れ可能な貯蔵容器を供えその内部に補助容器が設けられた冷蔵庫に関し、図面とともに、次の技術的事項が記載されている。
　（ケ）「最上部に冷凍室が設けられ、その下方に冷蔵室２及び引き出し式チルド室３が設けられ、その下方に貯蔵室としての野菜室４が設けられている。」（明細書第４頁第８〜１１行）
　（コ）「１４は透明なプラスチックで形成された補助容器で、これは左右の上端縁部を野菜容器１１の上縁部のフランジ部に摺動可能に載置して前後に移動可能に支持したもので、野菜容器１１が野菜室４内に収納された状態では、該野菜容器１１の後部上部に位置されている。」（明細書第５頁第１９行〜第６頁第５行）
　（サ）第２図には、補助容器１４の上段にチルド室３内に設けられた上方が開放した容器が記載されており、その容器部は、補助容器１４の倍程度の奥行きで、ほぼ同程度の深さで記載されされている。
　
　・記載事項（コ）の補助容器１４は、チルド室３の容器部の下段で野菜容器１１の上段に配置された中段容器であり、記載事項（サ）のチルド室３の容器部の半分程度の奥行きで、ほぼ同程度の深さであるので、中段容器の収納容積が上段容器よりも小さいものということができる。　
　
３．本願発明と引用発明との対比
（１）両発明の対応関係
　ア．引用発明の「冷凍室扉３７」は、本願発明の「扉」に相当し、以下同様に「冷凍室３６」は、「貯蔵室」に、「食品収納ケース４１，４２、４３」は、それぞれ「貯蔵容器」に、「３段」は、「３段以上の複数段」に相当する。
　イ．引用発明の「前面開口部を有する冷蔵庫の箱体３０」は、本願発明の「前面に開口部を有する冷蔵庫本体」に相当し、以下同様に「冷蔵庫の箱体３０に引出し式にて前面開口部を開閉するように設けられた冷凍室扉３７」は、「冷蔵庫本体に引出し式にて前記開口部を開閉するように設けられた扉」に、「冷凍室扉３７の裏側において冷蔵庫の箱体３０の内部の冷凍室３６に引出し式にて出し入れ可能に収納された食品収納ケース４１，４２、４３」は、「この扉の裏側において前記冷蔵庫本体の内部の一つの貯蔵室に引出し式にて出し入れ可能に収納された貯蔵容器」に相当する。
　ウ．引用発明の「レール６１」は、記載事項（イ）の「レール６３」とは別のものであるので、本願発明の「別のレール部」に相当する。
　そして、引用発明の「冷凍室扉３７を引き出したときに、食品収納ケース４２、４３が冷凍室扉３７と共に引き出され、食品収納ケース４１は、食品収納ケース４２、４３とは別のレール６１により支持されて冷凍室３６に残る構造」は、本願発明の「扉を引出したときに、前記複数段の貯蔵容器のうちの一部を除いた残りの複数段の貯蔵容器が扉と共に引出され、前記除かれた貯蔵容器は、前記引出された貯蔵容器とは別のレール部により支持されて前記貯蔵室に残る構造」に相当する。
　エ．引用発明の「食品収納ケース４２」及び「食品収納ケース４３」は、記載事項（ア）の「中段と下段の食品収納ケース４２、４３は、引出し式の冷凍室扉３７を引き出すと扉とともに引き出され」るものであるので、本願発明の「扉と共に引出された複数段の貯蔵容器」に相当し、そのうち「食品収納ケース４２」は、食品収納ケース４３に対して、上段に位置するものであるので、本願発明の「扉と共に引出された複数段の貯蔵容器のうち最上段の貯蔵容器」に相当する。
　そして、引用発明の「食品収納ケース４２を、食品収納ケース４３よりも容積の小さいものとした」ことと、本願発明の「扉と共に引出された複数段の貯蔵容器のうち最上段の貯蔵容器を、前記貯蔵室に残る貯蔵容器をも含む前記複数段の貯蔵容器の中で、最も容積の小さいものとした」こととは、扉と共に引出された複数段の貯蔵容器のうち最上段の貯蔵容器を、扉と共に引出された複数段の貯蔵容器の中で、最も容積の小さいものとした点で共通するものである。
　
（２）両発明の一致点
　「前面に開口部を有する冷蔵庫本体と、
　この冷蔵庫本体に引出し式にて前記開口部を開閉するように設けられた扉と、
　この扉の裏側において前記冷蔵庫本体の内部の一つの貯蔵室に引出し式にて出し入れ可能に収納された貯蔵容器とを具備し、
　前記貯蔵容器が３段以上の複数段に存し、
　前記扉を引出したときに、前記複数段の貯蔵容器のうちの一部を除いた残りの複数段の貯蔵容器が扉と共に引出され、前記除かれた貯蔵容器は、前記引出された貯蔵容器とは別のレール部により支持されて前記貯蔵室に残る構造で、
　前記扉と共に引出された複数段の貯蔵容器のうち最上段の貯蔵容器を、扉と共に引出された複数段の貯蔵容器の中で、最も容積の小さいものとした冷蔵庫。」
　
（３）両発明の相違点
　本願発明は、「扉と共に引出された複数段の貯蔵容器のうち最上段の貯蔵容器」を「貯蔵室に残る貯蔵容器をも含む前記複数段の貯蔵容器の中で、最も容積の小さいものとした」のに対して、引用発明は、「食品収納ケース４２を、食品収納ケース４３よりも容量の小さいもの」としているものの、「貯蔵室に残る貯蔵容器をも含む前記複数段の貯蔵容器の中で、最も容積の小さいもの」としていない点。
　
４．本願発明の容易推考性の検討
　相違点について
　ア．まず、一般的に、収納容器の幅、深さ、奥行き、容積等の寸法は、収納物品の形状や、許容される収納容器の外形等を考慮して、設計時に適宜選択される設計値であり、冷蔵庫の貯蔵室に設けられる収納容器においても、このことが変わるものではない。
　このことは、例えば、本願の出願前に頒布された刊行物である特開２０００−１８６８８５号公報の【００１５】で「寸法設定について説明する。まず下部冷凍室の第１の収納ケース１１の深さは、主にストック食品を冷凍収納する目的からおよそ１６０ｍｍに設定している。下部冷凍室の第２の収納ケース１２の深さは、小物の冷凍食品等を視認性良く収納する目的からおよそ１００ｍｍに設定している。上部冷凍室の収納ケース１０は、収納部を左右に分割し、一方を氷収納部、他方を冷凍食品収納部とし、氷の収納量、冷凍食品の収納及び整理性を考慮して、深さをおよそ１５０ｍｍと設定している。」と、収納容器の深さを収納物品に対応して選択していることを明示的に記載している様に明らかなことである。
　イ．一方、多段構成の収納容器において、中段容器の収納容積が上段容器よりも小さい態様のものも、刊行物２，３、さらに、上記特開２０００−１８６８８５号公報【図１】や、本願の出願前に頒布された刊行物である特開２００２−２７７１３６号公報【図４】の野菜室１２の中の上段の収納容器５４ａと次段の収納容器５４ｂも、そのような態様で記載されている様に周知であり、特別なものではない。
　ウ．そうすると、引用発明の食品収納ケース４１，４２、４３を具現化するにあたり、上記周知の中段容器の収納容積が上段容器よりも小さい態様のものを選択して、相違点に係る発明特定事項とすることは当業者が容易に想到し得たことである。
　エ．さらに、本願発明の作用効果は、引用発明、及び周知事項から当業者であれば予測できた範囲のものである。
　したがって、本願発明は、引用発明、及び周知事項に基づいて当業者が容易に発明をすることができたものである。 
　
５．むすび
　したがって、本願発明については、特許法第２９条第２項の規定により特許を受けることができない。
　そうすると、このような特許を受けることができない発明を包含する本願は、本願の他の請求項に係る発明について検討するまでもなく拒絶されるべきものである。
　よって、結論のとおり審決する。